(57)【特許請求の範囲】
【請求項１】
洗い場排水の受入口を上部に有すると共に、浴槽排水を浴槽排水流入口から略接線方向に受け入れてトラップ内で旋回流を形成させる略円筒形の受入室を有する排水トラップにおいて、
該受入室を形成するための内筒と、該内筒の全体を囲む外筒と、該外筒の底面を封じる底板と、該外筒に設けられた排水口とを備え、
該内筒と外筒との間が流出室となっており、
該受入室内の水が該内筒の下端と該底板との間から該流出室に流入し、前記排水口から流出することを特徴とする排水トラップ。
【請求項２】
請求項１において、前記排水口の下縁のレベルが前記内筒の下端よりも上位に位置することを特徴とする排水トラップ。
【請求項３】
請求項２において、該排水口の下縁のレベルは、前記流入口の上縁のレベルよりも上位であることを特徴とする排水トラップ。
【発明の詳細な説明】
【技術分野】
【０００１】
本発明は、浴室の洗い場に設けられる排水トラップに係り、特に浴槽排水を受け入れてトラップ内に旋回流を形成させるよう構成された排水トラップに関する。
【背景技術】
【０００２】
洗い場排水を受け入れる洗い場排水受入口が上部に設けられていると共に、浴槽排水を側周面から受入室内に受け入れて該受入室内に旋回流を形成させるようにした排水トラップが特許第３８８６０５５号に記載されている。このトラップの洗い場排水受入口には、上方が開放したカゴ（篭）状のヘアキャッチャーが着脱自在に装着されている。このヘアキャッチャーは、トラップ内の軸心部付近に垂下している。
【０００３】
浴槽排水がトラップ内に流入し、トラップ内の水位が上昇して旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【０００４】
この特許第３８８６０５５号の排水トラップにあっては、受入室は略円筒形である。受入室内で旋回流を形成している水は、受入室の周壁の下部から側方の流出室へ流出するよう構成されている。
【特許文献１】特許第３８８６０５５号
【発明の開示】
【発明が解決しようとする課題】
【０００５】
上記特許第３８８６０５５号の排水トラップでは、その図４，６の通り、流出室は、受入室の下部から流入口と反対方向へ膨出する形状となっている。そのため、受入室の下端から旋回しつつ流出室へ流出した水が流出室の室壁に当って旋回が停止され、その結果、受入室の旋回流速も減勢され、受入室内でのヘアキャッチャーの洗浄等が不十分になるおそれがある。
【０００６】
本発明は、旋回流形成方式の排水トラップの受入室内における旋回流の旋回流速が大きくなり、これによりゴミがヘアキャッチャーの中心に効率よく集められると共に、ヘアキャッチャーの浄化作用も強くなるようにした排水トラップを提供することを目的とする。
【課題を解決するための手段】
【０００７】
請求項１の排水トラップは、洗い場排水の受入口を上部に有すると共に、浴槽排水を浴槽排水流入口から略接線方向に受け入れてトラップ内で旋回流を形成させる略円筒形の受入室を有する排水トラップにおいて、該受入室を形成するための内筒と、該内筒の全体を囲む外筒と、該外筒の底面を封じる底板と、該外筒に設けられた排水口とを備え、該内筒と外筒との間が流出室となっており、該受入室内の水が該内筒の下端と該底板との間から該流出室に流入し、前記排水口から流出することを特徴とするものである。
【０００８】
請求項２の排水トラップは、請求項１において、前記排水口の下縁のレベルが前記内筒の下端よりも上位に位置することを特徴とするものである。
【０００９】
請求項３の排水トラップは、請求項２において、該排水口の下縁のレベルは、前記流入口の上縁のレベルよりも上位であることを特徴とするものである。
【発明の効果】
【００１０】
本発明（請求項１）の排水トラップは、洗い場排水と浴槽排水とを受け入れる旋回流形成方式の排水トラップにおいて、受入室を取り囲むように流出室を設け、受入室内の水が旋回しながら内筒の下端と底板との間を通って流出室に流出し、排水口から流出するように構成したものである。
【００１１】
この排水トラップの受入室からの流出水は、流出室でも旋回する。このため、受入室内での旋回流速の減勢が回避され、ゴミがヘアキャッチャーの中心に効率よく集められると共に、ヘアキャッチャーの浄化作用も強くなる。
【００１２】
請求項２の排水トラップにあっては、浴槽排水が流入しない場合、受入室及び流出室において排水口下縁のレベルまで水が溜まり、この溜水中に内筒の下部が没することにより封水が形成される。
【００１３】
請求項３の排水トラップにあっては、流入口の総てが封水に水没した状態となっているため、流入口内に気液界面（封水面）が形成されることがない。このため、流入口内の気液界面に汚れが付着したり、この付着物が蓄積して流入口を閉塞させたりすることが防止される。
【発明を実施するための最良の形態】
【００１４】
以下、本発明の実施の形態を図面に基づいて説明する。
【００１５】
第１図は排水トラップの斜視図、第２図は排水トラップの縦断面斜視図、第３図は第２図のIII−III線断面図、第４図は実施の形態に係る排水トラップを備えた浴室の概略斜視図である。
【００１６】
第４図の通り、浴室１に設けられた洗い場パン２の浴槽３側に排水枡６が一体形成されている。この排水枡６に対し下側から排水トラップ１０が連結されている。
【００１７】
排水トラップ１０の側面の流入用管状体２３(第１，２図）と浴槽３の底面の排水口３ａとが浴槽排水管４を介して接続されている。
【００１８】
また、排水トラップ１０の上面部には、洗い場２側からの排水が排水枡６を通り流入する洗い場排水受入口Ａ（第２図）が設けられている。排水トラップ１０の流入用管状体２３とほぼ反対側の側面の流出用管状体３２（第１，２図）には排水管７が接続されている。
【００１９】
排水枡６は洗い場パン２と一体状に凹み状に形成されている。その上面には排水目皿８が覆設されている。
【００２０】
次に、第１図〜第３図を参照して排水トラップ１０の構成について詳細に説明する。
【００２１】
この排水トラップ１０は、それぞれ筒軸心方向を略鉛直方向として同軸状に配置された内筒２０及び外筒３０を有する。内筒２０内が受入室１１であり、内筒２０と外筒３０との間が流出室１２である。
【００２２】
内筒２０の上端からは外方に鍔部２１が突設されている。内筒２０の上下方向の途中の側面に浴槽排水の流入口２２が設けられている。この流入口２２に浴槽排水流入用の管状ポート２３が接続されている。この管状ポート２３は、外筒３０を貫いて外筒３０の外方にまで延出している。管状ポート２３は、流入口２２から受入室１１内に浴槽排水が略接線方向に流入するように内筒２０に対し略接線方向に接続されている。内筒２０の底部は開放している。
【００２３】
外筒３０の上下方向の途中の側面に排水口３１が設けられている。この排水口３１の縁部から外筒３０の側外方に向って排水用の管状ポート３２が突設されている。
【００２４】
外筒３０の内周面のうち、この排水口３１の上縁付近から内向きの鍔部３３が突設されており、内筒２０の鍔部２１が該鍔部３３に上方から係止されている。
【００２５】
外筒３０は、その底部が底板３４によって封じられており、円筒容器状となっている。内筒２０の下端は、この底板３４よりも所定距離だけ上方に位置している。
【００２６】
この内筒２０の下端は、排水口３１の下縁よりも下位に位置している。流入口２２の上縁のレベルは排水口３１の下縁のレベルよりも下位となっている。
【００２７】
このため、この排水トラップ１０内の封水レベルは排水口３１の下縁であり、内筒２０の下端は封水中に没している。また、流入口２２もその全体が常に封水中に没している。
【００２８】
排水枡６の底側にはフランジ部材４０がパッキン（図示略）を介して取り付けられている。このフランジ部材４０は、筒部４１と、該筒部４１の上端から拡開するフランジ部４２とを有している。この筒部４１が排水枡６の底部の排水トラップ設置口（円形の開口）の上縁部にパッキン（図示略）を介して当接する。筒部４１の外周面に雄ネジが設けられており、この筒部４１に対しネジ込み方式により、排水トラップ１０の外筒３０の上端が連結されている。
【００２９】
フランジ部材４０を通して排水トラップ１０内に上方から着脱可能にヘアキャッチャー５０が差し込まれている。このヘアキャッチャー５０は、上面が開いたカゴ（篭）状であり、多数の開口が設けられている。
【００３０】
この実施の形態では、ヘアキャッチャー５０は下方側へ向かって縮径する略逆円錐台形状を有する。ヘアキャッチャー５０は、その下端が排水トラップ１０内の封水面よりも若干上方に位置するようにフランジ部材４０に支持されている。なお、ヘアキャッチャー５０は、排水トラップ１０の内筒２０内に形成される旋回流によって上方に押されても浮き上がらないようにフランジ部材４０に係止部（図示略）によって係止されている。ヘアキャッチャー５０には、排水トラップ１０内への出し入れ時に掴むための把手５１が設けられている。
【００３１】
このように構成された排水トラップの作動について次に説明する。
【００３２】
水を張った浴槽３の排水口３ａの排水栓を抜くと、浴槽３内の水が流入口２２から排水トラップ１０の受入室１１内に流入し、この受入室１１内に渦状の旋回流を形成する。受入室１１内の水位は次第に上昇し、ヘアキャッチャー５０あるいはさらに排水枡６が旋回流に浸水した状態となる。これにより、排水枡６の内面やヘアキャッチャー５０に付着しているゴミや毛髪が擦り落とされて、ゴミや髪の毛は渦の中心に集められ、渦の中心から下方へ落下し、ヘアキャッチャー５０の下端の底面中央部に良好に集められる。
【００３３】
受入室１１内で旋回している水の一部は、内筒２０の下端と底板３４との間を通って流出室１２へ流出する。その後、水は、流出室１２内を旋回しながら上昇し、排水口３１から流出する。
【００３４】
上記のように、受入室１１内の渦状の旋回流が旋回状態を保ったまた内筒２０の下端を回り込んで流出室１２へ流出する。この流出室１２は、内筒２０を取り巻く環状の室であるため、受入室１１からの水はこの流出室１２でも旋回しながら上昇し、排水口３１に到達する。このように、流出室１２でも水が旋回するので、受入室１１内の水の旋回流が減勢されにくい。この結果、浴槽３の水位が低く流入口２２からの流入水量が少ない場合などであっても、受入室１１内に強力な旋回流が形成され、ヘアキャッチャー５０や排水枡６が十分に洗浄される。また、ゴミがヘアキャッチャー５０の中心部に効率よく集められる。
【００３５】
また、流入口２２は、その総てが封水に水没した状態となっているため、流入口２２内に気液界面（封水面）が形成されることがない。このため、流入口２２内の気液界面に汚れが付着したり、この付着物が蓄積して流入口２２を閉塞させたりすることが防止される。
【００３６】
浴槽からすべての水が流出すると、旋回流は停止し、排水トラップ１０内には排水口３１の下縁のレベルの封水が残る。
【００３７】
これにより、排水管７側と洗い場及び浴槽３側とはいずれも封水によって隔絶されることになり、排水管７の臭気が洗い場や浴槽３へ逆流することが防止される。
【００３８】
なお、この実施の形態では、内筒２０が下方に延設されているので、内筒２０の封水への浸漬長さが大きく、封水が減少してもトラップ切れしにくい。
【００３９】
第５図は異なる実施の形態に係る排水トラップ１０Ａの斜視図、第６図はこの排水トラップの縦断面図、第７図及び第８図は第６図のVII−VII線及びVIII−VIII線断面図である。なお、第５図は、排水トラップ１０Ａを第１図とは反対側すなわち排水用の管状ポート３２Ａ側から見た斜視図である。
【００４０】
この排水トラップ１０Ａにあっては、外筒３０内を旋回する水が該外筒３０から略接線方向に流出するように管状ポート３２Ａを外筒３０に対し略接線方向に接続している。
【００４１】
即ち、この排水トラップ１０Ａにあっても、外筒３０の上下方向の途中の側面に排水口３１Ａが設けられており、この排水口３１Ａの縁部から外筒３０の側外方に向って排水用の管状ポート３２Ａが接線方向に略水平に突設されている。このため、流出室１２内を旋回する水は、管状ポート３２Ａにスムーズに流出する。従って、流出室１２内の水の旋回流が減勢されにくい。なお、排水口３１Ａは、第１図〜第３図の排水口３１と同様に、その下縁のレベルが内筒２０の下端よりも上位となっている。
【００４２】
また、この実施の形態にあっては、内筒２０の内周面に沿ってガイド板２０ａが設けられている。本実施の形態では、このガイド板２０ａは、流入口２２付近から内筒２０の内周面を旋回方向下流側に向って内筒２０の内周面を約半周するように延設されている。このガイド板２０ａの旋回方向先端側（流入口２２側）のレベルは、流入口２２の下縁付近以下で且つ内筒２０の下端以上となっている。ガイド板２０ａは、旋回方向下流側に向って上り勾配となるように設けられている。ガイド板２０ａの旋回方向末端側のレベルは、流入口２２の上縁付近となっている。ガイド板２０ａが旋回流を乱さないようにするために、ガイド板２０ａの旋回方向先端側と末端側のレベルの差が流入口２２の口径の０．５〜３倍、特に１〜２倍となるようにするのが好ましい。
【００４３】
ガイド板２０ａの幅（内筒２０の半径方向の幅員）は、内筒２０の半径の１００％以下、特に２０〜８０％程度が好ましい。
【００４４】
この排水トラップ１０Ａのその他の構成は第１図〜第５図の排水トラップと同様であり、同一符号は同一部分を示している。
【００４５】
このようにガイド板２０ａを設けた排水トラップ１０Ａにあっては、流入口２２から内筒２０内に接線方向に流入した水が、内筒２０の内周面に沿って主に上方へ広がるようにして流れるようになる。即ち、流入口２２から内筒２０内に流入した水が内筒２０の内周面に沿って下方へ広がることが防止ないし抑制され、流入口２２からの流入水が短絡的に内筒２０の下端をくぐり抜けることが防止される。これにより、内筒２０内の旋回流速が増大する。
【００４６】
なお、この実施の形態では、ガイド板２０ａは、内筒２０の内周面を約半周するように延在しているが、ガイド板２０ａの周方向の長さは内筒２０の周長の１０〜１００％程度であればよい。この場合のガイド板２０ａの旋回方向における上り勾配は、第６図〜第８図の場合と同程度とするのが好ましい。
【００４７】
本発明では、内筒２０の下部（流入口２２よりも下位）に、略水平にガイド板を設けてもよい。このガイド板は、内筒を周回する内向きフランジ形状であってもよく、内筒の周方向の一部にのみ設けられるものであってもよい。
【図面の簡単な説明】
【００４８】
【図１】排水トラップの斜視図である。
【図２】排水トラップの斜視断面図である。
【図３】図２のIII−III線断面図である。
【図４】実施の形態に係る排水トラップを備えた浴室の斜視図である。
【図５】異なる排水トラップの斜視図である。
【図６】図５の排水トラップの斜視図である。
【図７】図６のVII−VII線断面図である。
【図８】図６のVIII−VIII線断面図である。
【符号の説明】
【００４９】
３  浴槽
６  排水枡
１０  排水トラップ
１１  受入室
１２  流出室
２０  内筒
２０ａ  ガイド板
２２  流入口
３０  外筒
３１，３１Ａ  排水口
３２，３２Ａ  排水用管状体
３４  底板
４０  フランジ部材
５０  ヘアキャッチャー
【図１】
0005245398.tif 000002
【図２】
0005245398.tif 000003
【図３】
0005245398.tif 000004
【図４】
0005245398.tif 000005
【図５】
0005245398.tif 000006
【図６】
0005245398.tif 000007
【図７】
0005245398.tif 000008
【図８】
0005245398.tif 000009